(57)【要約】【課題】  不正コピーを防止する措置が施された光ディスクを提供すること。【解決手段】  基板上に、ユーザデータが記録される記録領域と、アドレス情報（ＩＤ）、ＳＹＮＣコード又はエラー検出コード（ＥＤＣ）等のディスク固有の識別情報が記録される識別情報領域を有する管理領域と、を備える光ディスク。この光ディスクにおける識別情報領域は、グルーブ又はランドの一部が所定の段差により区切られて形成された平坦部（ミラー領域）を有する。ディスク固有の識別情報は、このミラー領域が含まれる識別情報領域上に、不可逆的な記録マークとして記録される。そして、この光ディスクの記録トラック上にサーボオンされたレーザ光によりディスク固有の識別情報が検出され、検出されたディスク固有の識別情報の信号レベルの変動が、予め設定された所定のしきい値（スライスレベル）に基づき検出される。【選択図】  図１
2004247033.tif 000002
【特許請求の範囲】
【請求項１】
グルーブやランドのいずれか一方、あるいは両方を記録トラックとして用い、情報の記録が可能な記録層を備えた光ディスクであって、
前記光ディスクは前記光ディスクにアクセスするための管理領域をユーザデータの記録領域外に備え、
前記管理領域のランド、若しくは、グルーブの一部が記録トラック方向に切断して形成されたトラック幅より半径方向に広い平坦部を有し、
前記平坦部の半径方向の両側に隣接するランド、若しくは、グルーブが存在し、
ディスク固有の識別情報を記録するための前記平坦部を含むランドトラック、若しくは、グルーブトラックを有することを特徴とする光ディスク。
【請求項２】
グルーブやランドのいずれか一方、あるいは両方を記録トラックとして用い、情報の記録が可能な記録層を備えた光ディスクの記録方法であって、
前記光ディスクは前記光ディスクにアクセスするための管理領域をユーザデータの記録領域外に備え、
前記管理領域のランド、若しくは、グルーブの一部が記録トラック方向に切断して形成されたトラック幅より半径方向に広い平坦部を有し、
前記平坦部の半径方向の両側に隣接するランド、若しくは、グルーブが存在し、
少なくとも、前記平坦部を含むランドトラック上、若しくは、グルーブトラック上にディスク固有の識別情報を不可逆的な記録マークで形成することを特徴とする光ディスクの記録方法。
【請求項３】
グルーブやランドのいずれか一方、あるいは両方を記録トラックとして用い、情報の記録が可能な記録層を備えた光ディスクの再生方法であって、
前記光ディスクは前記光ディスクにアクセスするための管理領域をユーザデータの記録領域外に備え、
前記管理領域のランド、若しくは、グルーブの一部が記録トラック方向に切断して形成されたトラック幅より半径方向に広い平坦部を有し、
前記平坦部の半径方向の両側に隣接するランド、若しくは、グルーブが存在し、
少なくとも、前記平坦部を含むランドトラック上、若しくは、グルーブトラック上に不可逆的な記録マークで形成されたディスク固有の識別情報が記録された前記ランドトラック若しくは、前記グルーブトラックと前記平坦部に隣接するランドトラック若しくは、グルーブトラックの間にあるグルーブトラック上、若しくは、ランドトラック上の少なくとも一方にサーボオンした状態で再生し、
前記ランド、若しくは、前記グルーブの信号レベルと前記平坦部の信号レベルと前記ディスク固有の識別情報を記録したマークの信号レベルとの間にスライスレベルを設け、
前記ランド若しくは前記グルーブが途切れたエッジ位置前後における再生信号レベルをそれぞれ検出することを特徴とする光ディスクの再生方法。
【請求項４】
請求項３に記載の光ディスクの再生方法において、
前記光ディスクは、前記光ディスクの種別を表す媒体種別情報をユーザデータの記録領域外に備えており、前記媒体種別情報を再生し、前記光ディスクの種別に応じて前記再生信号のスライスレベルを設定し、前記ディスク固有の識別情報を再生することを特徴とする光ディスクの再生方法。
【請求項５】
グルーブやランドのいずれか一方、あるいは両方を記録トラックとして用い、情報の記録が可能な記録層を備えた光ディスクの情報管理方法であって、
前記光ディスクは前記光ディスクにアクセスするための管理領域をユーザデータの記録領域外に備え、
前記管理領域のランド、若しくは、グルーブの一部が記録トラック方向に切断して形成されたトラック幅より半径方向に広い平坦部を有し、
前記平坦部の半径方向の両側に隣接するランド、若しくは、グルーブが存在し、
少なくとも、前記平坦部を含むランドトラック上、若しくは、グルーブトラック上に不可逆的な記録マークで形成されたディスク固有の識別情報が記録された前記ランドトラック若しくは、前記グルーブトラックに隣接するグルーブトラック上、若しくは、ランドトラック上の少なくとも一方にサーボオンした状態で再生し、
前記ランド、若しくは、前記グルーブの再生信号レベルと前記平坦部の再生信号レベルと前記ディスク固有の識別情報の記録マーク再生信号レベルとの間に複数のスライスレベルを設け、
前記ランドトラック、若しくは前記グルーブトラックが途切れた平坦部境界とのエッジ位置前後における信号レベル変動を検出し、
前記エッジ位置の信号を前記ディスク固有の識別情報を得るための同期信号として用いると共に当該ディスク固有の識別情報の真偽を判定するために使用することを特徴とする光ディスクの情報管理方法。
【請求項６】
少なくともスピンドルモーターと、光ヘッドと、記録再生信号処理回路と、コントローラと、サーボ制御回路と、を備え、光ディスクを駆動するための光ディスク駆動装置であって、
前記光ディスクは、当該光ディスクにアクセスするための管理領域をユーザデータの記録領域外に備え、
前記管理領域のランド、若しくは、グルーブの一部が記録トラック方向に切断して形成されたトラック幅より半径方向に広い平坦部を有し、
前記平坦部の半径方向の両側に隣接するランド、若しくは、グルーブが存在し、
少なくとも、前記平坦部を含むランドトラック上、若しくは、グルーブトラック上に不可逆的な記録マークで形成されたディスク固有の識別情報が記録され、
前記記録再生信号処理回路は、前記ランド、若しくは、前記グルーブの再生信号レベルと前記平坦部の再生信号レベルと前記ディスク固有の識別情報の記録マーク再生信号レベルとの間に複数のスライスレベルを設け、
前記ランドトラック、若しくは前記グルーブトラックが途切れた平坦部境界とのエッジ位置前後、或いはエッジの前後に渡って設けた前記記録マークの信号レベル変動を検出する回路と、
前記エッジ位置の信号を前記ディスク固有の識別情報を得るための同期信号として用いるとともに当該ディスク固有の識別情報の真偽を判定する回路と、
を有することを特徴とする光ディスク駆動装置。
【請求項７】
請求項６に記載の光ディスク駆動装置において、
前記ディスク固有の識別情報の真偽を判定し、不正コピーと判断された前記光ディスクに対して、記録再生アクセスを停止すること、或いは不正ディスクである警告表示すること、或いはアクセス動作を停止すること、或いは駆動装置から排除する動作のうち少なくともいずれか一つを実行することを特徴とする光ディスク駆動装置。
【請求項８】
基板上に形成されるグルーブ及びランドと、
前記基板上に形成され、ユーザデータが記録される記録領域と、
前記基板上に形成され、前記記録領域に隣接して設けられ、ディスク固有の識別情報が記録される識別情報領域を有する管理領域と、を備え、
前記識別情報領域は、前記グルーブ又は前記ランドの一部が所定の段差により区切られた平坦部を有する
ことを特徴とする光ディスク。
【請求項９】
前記平坦部は、隣接する前記グルーブ又は前記ランドと同じ高さの平面を形成することを特徴とする請求項８記載の光ディスク。
【請求項１０】
前記平坦部は、トラック方向に対して垂直方向の幅が、前記グルーブ又は前記ランドの幅より半径方向に広いことを特徴とする請求項８記載の光ディスク。
【請求項１１】
前記ディスク固有の識別情報は、前記平坦部を含む前記グルーブ又は前記ランド上に記録されることを特徴とする請求項８記載の光ディスク。
【請求項１２】
前記ディスク固有の識別情報は、前記識別情報領域に不可逆的な記録マークとして記録されることを特徴とする請求項８記載の光ディスク。
【請求項１３】
前記ディスク固有の識別情報は、アドレス情報（ＩＤ）、ＳＹＮＣコード及びエラー検出コード（ＥＤＣ）から選ばれるいずれか１つが含まれることを特徴とする請求項８記載の光ディスク。
【請求項１４】
前記管理領域に媒体種別情報が記録されていることを特徴とする請求項８記載の光ディスク。
【請求項１５】
前記媒体種別情報は、ディスクタイプ、反射率、記録トラック位置、記録層材料、再生パワー及び記録極性から選ばれるいずれか１つが含まれることを特徴とする請求項８記載の光ディスク。
【請求項１６】
基板上に、ユーザデータが記録される記録領域と、ディスク固有の識別情報が記録される識別情報領域を含む管理領域と、を備える光ディスクの再生方法であって、
光源からのレーザ光を前記光ディスク上に集光するステップと、
集光されたレーザ光をグルーブ又はランドにサーボオンするステップと、
サーボオンされたレーザ光により、前記識別情報領域の信号及び前記ディスク固有の識別情報の信号を検出するステップと、
予め設定された所定のしきい値に基づき、検出された前記ディスク固有の識別情報の信号レベルの変動を検出するステップと、
を有することを特徴とする光ディスクの再生方法。
【請求項１７】
前記識別情報領域は、前記グルーブ又は前記ランドの一部が所定の段差により区切られた平坦部を有することを特徴とする請求項１６記載の光ディスクの再生方法。
【請求項１８】
前記しきい値は、前記平坦部の信号レベル及び前記ディスク固有の識別情報の信号レベルと、当該平坦部以外のランド又はグルーブに記録された前記ディスク固有の識別情報の信号レベルと、の間にそれぞれ設定されることを特徴とする請求項１６記載の光ディスクの再生方法。
【請求項１９】
前記しきい値は、予め記録された媒体種別情報に基づき設定されることを特徴とする請求項１６記載の光ディスクの再生方法。
【請求項２０】
前記平坦部以外のランド又はグルーブ以外に記録された前記ディスク固有の識別情報の信号を同期信号として使用するとともに、前記ディスク固有の識別情報の真偽を判断することを特徴とする請求項１６記載の光ディスクの再生方法。
【請求項２１】
レーザ光を光ディスク上に集光させる光ヘッドと、前記光ディスクから検出される信号を処理する記録再生信号処理回路と、制御部と、サーボ制御回路と、スピンドルモータと、を備える光ディスク駆動装置であって、
前記記録再生信号処理回路は、
予め設定された所定のしきい値に基づき、前記光ディスクに記録されたディスク固有の識別情報の信号レベルの変動を検出する回路と、
前記ディスク固有の識別情報の真偽を判断する回路と、
を有することを特徴とする光ディスクの駆動装置。
【請求項２２】
前記ディスク固有の識別情報は、前記光ディスクのユーザデータが記録される記録領域に隣接する管理領域上に記録されることを特徴とする請求項２１記載の光ディスクの駆動装置。
【請求項２３】
前記ディスク固有の識別情報の真偽を判断する回路は、記録再生アクセス中止、警告表示及び光ディスク排除から選ばれるいずれか一つを含む動作を実行することを特徴とする請求項２１記載の光ディスクの駆動装置。
【発明の詳細な説明】
【技術分野】
【０００１】
本発明は、光ディスク等に関し、より詳しくは、不正コピーを防止するためにディスク固有の識別情報が記録された光ディスク等に関する。
【背景技術】
【０００２】
従来、光ディスクには、不正コピーを防止するために、光ディスク毎にディスク固有の識別情報が記録されている。光ディスクに識別情報を記録するための従来技術としては、例えば、ＤＶＤ（Ｄｉｇｉｔａｌ  Ｖｅｒｓａｔｉｌｅ  Ｄｉｓｋ）等で用いられているＢＣＡ（Ｂｕｒｓｔ  Ｃｕｔｔｉｎｇ  Ａｒｅａ）記録方法が知られている。
【０００３】
ＢＣＡ記録方法は、レーザトリミングによってディスクの反射層を部分的に溶融して複数のトラックに無反射部分を形成し、この無反射部分をバーコード状に配置することによって、光ディスクにディスク固有の識別情報を記録する方法である。ＢＣＡ記録方法は、反射層のみを有するＣＤ−ＲＯＭ又はＤＶＤ−ＲＯＭのような再生専用光ディスクには有効である。しかし、ＢＣＡライターは非常に高価であるためコストアップになる。
【０００４】
ＣＤ−ＲやＤＶＤ−Ｒのようなライトワンス型光ディスクは、記録された情報を書き換えることができないため、レコーダーを用いてディスク固有の識別情報を記録することは可能である。一方、光磁気ディスクや相変化型光ディスクの場合は、記録された情報を書き換えることが可能である。このような光ディスクの場合は、通常の情報を記録する場合よりも遅い線速度及び高いレーザーパワーを用いて、記録膜を不可逆的に変化させてディスク固有の識別情報を記録する方法（特許文献１）、或いは、製造段階において、通常の情報を記録する場合よりも強いレーザーパワーを用いる、又は、レーザーの照射時間を長くすることにより、不可逆マークを形成し、複数の不可逆マークの領域と通常の可逆マークの領域とが交互に配置されたパターンをユーザデータ領域外に設けることによって、ディスク固有の識別情報を記録する方法が考えられる（特許文献２）。このような方法により書き換え可能な光ディスクに不可逆マークが形成されると、形成されたマークが消去される畏れはない。
【０００５】
【特許文献１】特開平０９−０９１７８１号公報
【特許文献２】特開２００２−１９７６７０号公報
【発明の開示】
【発明が解決しようとする課題】
【０００６】
しかし、このような方法により形成された不可逆マークの信号レベルと、ドライブを用いて、通常の記録パワーにより形成された可逆マークの信号レベルとの差が微妙なため、予めディスク固有の識別情報が設けられていないディスクに対して、通常のドライブを用いて、擬似的に不正マークが形成された違法コピー品が作成される畏れがある。
同様に、記録可能な光ディスクにディスク固有の識別情報が予めプリピットとして形成された場合も信号レベルに特徴的な差がない。このため、スタンパレベルではディスク固有の識別情報が共通であるため、ディスク固有の識別情報が予めプリピットとして形成された光ディスクと識別できる必要がある。
このように、本発明は、光ディスクに記録された情報の不正コピーを防止する方法を開発する際の要請に応えるものである。
【０００７】
即ち、本発明の目的は、不正コピーを防止するために、不可逆的、且つ、消去が不可能なディスク固有の識別情報が形成された光ディスクを提供することにある。
また、本発明の他の目的は、消去が不可能なディスク固有の識別情報を不可逆的マークにより形成する光ディスクの記録方法を提供することにある。
また、本発明の他の目的は、通常のドライブを用いたグルーブ記録等の方法により作成された不正コピーディスクを容易に識別する光ディスクの再生方法を提供することにある。
また、本発明の他の目的は、不正コピーディスクを容易に識別する光ディスクの情報管理方法を提供することにある。
さらに、本発明の他の目的は、不正コピーディスクを検出する光ディスク駆動装置を提供することにある。
【課題を解決するための手段】
【０００８】
上記の目的を達成するため、本発明によれば、グルーブ及び／又はランドを記録トラックとして用い、情報の記録が可能な記録層を備えた光ディスクにおいて、複製情報との判別が容易なディスク固有の識別情報が記録されたトラック構造を有する光ディスクが提供される。即ち、本発明は、グルーブやランドのいずれか一方、あるいは両方を記録トラックとして用い、情報の記録が可能な記録層を備えた光ディスクであって、光ディスクは光ディスクにアクセスするための管理領域をユーザデータの記録領域外に備え、管理領域のランド若しくはグルーブの一部が記録トラック方向に切断して形成されたトラック幅より半径方向に広い平坦部を有し、平坦部の半径方向の両側に隣接するランド若しくはグルーブが存在し、ディスク固有の識別情報を記録するための平坦部を含むランドトラック若しくはグルーブトラックを有することを特徴とする光ディスクを要旨とするものである。
【０００９】
また、本発明は、グルーブやランドのいずれか一方、あるいは両方を記録トラックとして用い、情報の記録が可能な記録層を備えた光ディスクの記録方法であって、光ディスクは光ディスクにアクセスするための管理領域をユーザデータの記録領域外に備え、管理領域のランド若しくはグルーブの一部が記録トラック方向に切断して形成されたトラック幅より半径方向に広い平坦部を有し、平坦部の半径方向の両側に隣接するランド若しくはグルーブが存在し、少なくとも、平坦部を含むランドトラック上、若しくは、グルーブトラック上にディスク固有の識別情報を不可逆的な記録マークで形成することを特徴とする光ディスクの記録方法を要旨とする。
【００１０】
また、本発明は、グルーブやランドのいずれか一方、あるいは両方を記録トラックとして用い、情報の記録が可能な記録層を備えた光ディスクの再生方法であって、光ディスクは光ディスクにアクセスするための管理領域をユーザデータの記録領域外に備え、管理領域のランド若しくはグルーブの一部が記録トラック方向に切断して形成されたトラック幅より半径方向に広い平坦部を有し、平坦部の半径方向の両側に隣接するランド若しくはグルーブが存在し、少なくとも、平坦部を含むランドトラック上、若しくは、グルーブトラック上に不可逆的な記録マークで形成されたディスク固有の識別情報が記録されたランドトラック若しくは、グルーブトラックと平坦部に隣接するランドトラック若しくはグルーブトラックの間にあるグルーブトラック上、若しくは、ランドトラック上の少なくとも一方にサーボオンした状態で再生し、ランド若しくはグルーブの信号レベルと平坦部の信号レベルとディスク固有の識別情報を記録したマークの信号レベルとの間にスライスレベルを設け、ランド若しくはグルーブが途切れたエッジ位置前後における再生信号レベルをそれぞれ検出することを特徴とする光ディスクの再生方法を要旨とする。
【００１１】
本発明が適用される光ディスクの再生方法において、光ディスクは、光ディスクの種別を表す媒体種別情報をユーザデータの記録領域外に備えており、媒体種別情報を再生し、光ディスクの種別に応じて再生信号のスライスレベルを設定し、ディスク固有の識別情報を再生することが好ましい。
【００１２】
また、本発明は、グルーブやランドのいずれか一方、あるいは両方を記録トラックとして用い、情報の記録が可能な記録層を備えた光ディスクの情報管理方法であって、光ディスクは光ディスクにアクセスするための管理領域をユーザデータの記録領域外に備え、管理領域のランド若しくはグルーブの一部が記録トラック方向に切断して形成されたトラック幅より半径方向に広い平坦部を有し、平坦部の半径方向の両側に隣接するランド、若しくは、グルーブが存在し、少なくとも、平坦部を含むランドトラック上、若しくは、グルーブトラック上に不可逆的な記録マークで形成されたディスク固有の識別情報が記録されたランドトラック若しくは、グルーブトラックに隣接するグルーブトラック上、若しくは、ランドトラック上の少なくとも一方にサーボオンした状態で再生し、ランド若しくはグルーブの再生信号レベルと平坦部の再生信号レベルとディスク固有の識別情報の記録マーク再生信号レベルとの間に複数のスライスレベルを設け、ランドトラック若しくはグルーブトラックが途切れた平坦部境界とのエッジ位置前後における信号レベル変動を検出し、エッジ位置の信号をディスク固有の識別情報を得るための同期信号として用いるとともにディスク固有の識別情報の真偽を判定するために使用することを特徴とする光ディスクの情報管理方法を要旨とするものである。
【００１３】
さらに、本発明は、少なくともスピンドルモーターと、光ヘッドと、記録再生信号処理回路と、コントローラと、サーボ制御回路と、を備え、光ディスクを駆動するための光ディスク駆動装置であって、光ディスクは、光ディスクにアクセスするための管理領域をユーザデータの記録領域外に備え、管理領域のランド、若しくは、グルーブの一部が記録トラック方向に切断して形成されたトラック幅より半径方向に広い平坦部を有し、平坦部の半径方向の両側に隣接するランド若しくはグルーブが存在し、少なくとも、平坦部を含むランドトラック上、若しくは、グルーブトラック上に不可逆的な記録マークで形成されたディスク固有の識別情報が記録され、記録再生信号処理回路は、ランド若しくはグルーブの再生信号レベルと平坦部の再生信号レベルとディスク固有の識別情報の記録マーク再生信号レベルとの間に複数のスライスレベルを設け、ランドトラック若しくはグルーブトラックが途切れた平坦部境界とのエッジ位置前後、或いはエッジの前後に亘って設けた記録マークの信号レベル変動を検出する回路と、エッジ位置の信号をディスク固有の識別情報を得るための同期信号として用いるとともにディスク固有の識別情報の真偽を判定する回路と、を有することを特徴とする光ディスク駆動装置を要旨とする。
【００１４】
本発明が適用される光ディスク駆動装置において、識別情報の真偽を判定し、不正コピーと判断された光ディスクに対して、記録再生アクセスを停止すること、或いは不正ディスクである警告表示すること、或いはアクセス動作を停止すること、或いは駆動装置から排除する動作のうち少なくともいずれか一つを実行することが好ましい。
【００１５】
一方、本発明が適用される光ディスクは、基板上に形成されるグルーブ及びランドと、基板上に形成され、ユーザデータが記録される記録領域と、基板上に形成され、記録領域に隣接して設けられ、ディスク固有の識別情報が記録される識別情報領域を有する管理領域と、を備え、識別情報領域は、グルーブ又はランドの一部が所定の段差により区切られた平坦部を有することを特徴とするものである。
本発明が適用される光ディスクにおいて、平坦部は、隣接するグルーブ又はランドと同じ高さの平面を形成することが好ましい。また、平坦部は、トラック方向に対して垂直方向の幅が、グルーブ又はランドの幅より半径方向に広いことが好ましい。
【００１６】
また、ディスク固有の識別情報は、平坦部を含むグルーブ又はランド上に記録されることが好ましい。さらに、ディスク固有の識別情報は、識別情報領域に不可逆的な記録マークとして記録されることが好ましい。また、ディスク固有の識別情報は、アドレス情報（ＩＤ）、ＳＹＮＣコード及びエラー検出コード（ＥＤＣ）から選ばれるいずれか１つが含まれることが好ましい。また、管理領域に媒体種別情報が記録されていることが好ましい。さらに、媒体種別情報は、ディスクタイプ、反射率、記録トラック位置、記録層材料、再生パワー及び記録極性から選ばれるいずれか１つが含まれることが好ましい。
【００１７】
次に、本発明は、基板上に、ユーザデータが記録される記録領域と、ディスク固有の識別情報が記録される識別情報領域を含む管理領域と、を備える光ディスクの再生方法であって、光源からのレーザ光を光ディスク上に集光するステップと、集光されたレーザ光をグルーブ又はランドにサーボオンするステップと、サーボオンされたレーザ光により、識別情報領域の信号及びディスク固有の識別情報の信号を検出するステップと、予め設定された所定のしきい値に基づき、検出されたディスク固有の識別情報の信号レベルの変動を検出するステップと、を有することを特徴とする光ディスクの再生方法として把握される。
【００１８】
本発明が適用される光ディスクの再生方法において、識別情報領域は、グルーブ又はランドの一部が所定の段差により区切られた平坦部を有することが好ましい。また、しきい値は、平坦部の信号レベル及びディスク固有の識別情報の信号レベルと、平坦部以外のランド又はグルーブに記録されたディスク固有の識別情報の信号レベルと、の間にそれぞれ設定されることが好ましい。また、しきい値は、予め記録された媒体種別情報に基づき設定されることが好ましい。
さらに、本発明が適用される光ディスクの再生方法において、平坦部以外のランド又はグルーブ以外に記録されたディスク固有の識別情報の信号を同期信号として使用するとともに、ディスク固有の識別情報の真偽を判断することが好ましい。
【００１９】
さらに、本発明は、レーザ光を光ディスク上に集光させる光ヘッドと、光ディスクから検出される信号を処理する記録再生信号処理回路と、制御部と、サーボ制御回路と、スピンドルモータと、を備える光ディスク駆動装置であって、記録再生信号処理回路は、予め設定された所定のしきい値に基づき、光ディスクに記録されたディスク固有の識別情報の信号レベルの変動を検出する回路と、ディスク固有の識別情報の真偽を判断する回路と、を有することを特徴とする光ディスクの駆動装置を要旨とするものである。
【００２０】
本発明が適用される光ディスクの駆動装置において、ディスク固有の識別情報は、光ディスクのユーザデータが記録される記録領域に隣接する管理領域上に記録されることが好ましい。また、ディスク固有の識別情報の真偽を判断する回路は、記録再生アクセス中止、警告表示及び光ディスク排除から選ばれるいずれか一つを含む動作を実行するものであることが好ましい。
【００２１】
本発明においては、ユーザデータ領域外に設けられた管理情報領域のランドトラックの一部に、トラック幅より広い平坦部（ミラー領域）が形成され、このミラー領域が含まれるランドトラックに不可逆的な記録マークとしてディスク固有の識別情報が形成され、次にディスク固有の識別情報が記録されたランドトラックに隣接するグルーブにトラッキングをかけたトラックオン状態で、ディスク固有の識別情報が再生される。このとき、ランドトラックの信号レベルとミラー領域の信号レベル中の不可逆的な記録マークの信号レベルとの間に設けたしきい値によって、正規な光ディスクが容易に判別される。ディスク固有の識別情報に必要なデータ量は数バイトから数十バイトであり、このために必要なミラー領域のトラック方向の長さは数マイクロメーターから数十マイクロメーター程度の範囲なので、トラック方向にランドトラックの一部が切断されていてもトラッキングが外れることはない。このように、ディスク固有の識別情報のデータ容量は、最大でも数十バイト程度なので、ミラー領域はトラック一周内に適当な間隔を空けて数カ所設ければ十分である。また、ミラー領域は、数トラックに重複して形成されていてもよく、数バイト単位に分割して分散配置されてもよい。
【００２２】
本発明によれば、ドライブ及び光ディスクに複雑な機構を施すことなく、複製が困難な光ディスクと、不正複製品を容易に看破することができる著作物保護手段とが提供される。その特徴は、次の通りである。
（１）本発明においては、ディスク固有の識別情報は、記録トラックに隣接するトラックに記録され、再生時にクロストークにより情報信号として検出される。これにより、たとえ複製情報が隣接する両側のトラックに、識別情報と同じ信号として記録されたとしても、駆動スピンドルの回転ジッタの影響により、互いに隣接する記録トラックの記録マーク位置の位相を合致させることは困難である。その結果追記された複製情報と正規のディスク固有の識別情報とを区別することが可能になり、複製品を看破することができる。特にＣＬＶ駆動においては記録マーク位置の位相を合致させることは困難である。
【００２３】
（２）また、本発明においては、ミラー領域とランドトラックとにわたり、ディスク固有の識別情報を記録マークとして形成し、この記録マークの振幅変化中に信号レベルが異なる３つの状態を混在させ、この３つの状態が、それぞれの信号レベルに対応させたしきい値（スライスレベル）が設けられた方式により検出される。これにより、たとえミラー領域が形成されていない光ディスクに不正コピーが記録されたとしても、この３つの状態の中の２つの状態しか検出されず、ディスク固有の識別情報を記録した領域や記録マークの再生が完全に行われないため、複製品を看破できる。このように、本発明によれば、ディスク固有の識別情報が記録されていない光ディスクのグルーブトラックに正規のディスク固有の識別情報が不正にコピーされた場合も、予めディスク固有の識別情報が記録されている光ディスクとの区別が可能である。
【発明の効果】
【００２４】
かくして本発明によれば、ディスク固有の識別情報が不正コピーが防止される光ディスクが提供される。
【発明を実施するための最良の形態】
【００２５】
以下、図面に基づき、本発明を実施するための最良の形態（以下、実施の形態という）について詳述する。
図１は、本実施の形態が適用される光ディスクの実施形態１を説明する図である。図１には、塗布型色素系光ディスクのディスク固有の識別情報が記録される領域（媒体固有情報記録領域）における記録マークのパターン（記録パターン）と再生信号波形との関係が示されている。
【００２６】
図１に示された塗布型色素系光ディスクは、グルーブトラックと、ランドトラックとを備えている。ランドトラックの一部には、ランドトラックの一部が所定の段差により区切られ、このランドトラックに隣接するグルーブトラックと共に同じ高さの平坦部（ミラー領域）が形成されている。このミラー領域のトラック方向に対する垂直方向の幅は、ランドトラックの幅より半径方向に広い。ディスク固有の識別情報は、このミラー領域と、ミラー領域が形成される段差のエッジの前後に亘り、ランドトラック上に記録されている。
【００２７】
ランドトラックの一部に形成されたミラー領域は、ランドトラックやグルーブトラックとは異なり、実効ビーム径の範囲内において平坦である。そのため、ミラー領域における反射率は高くなり（ａレベル）、その結果、ミラー領域においてランドトラックの信号レベル（ｂレベル）とのレベル差が発生する。さらに、ミラー領域に形成された記録マークの信号振幅は、記録トラックに形成された通常の記録マークより大きくなる。そのため、隣接するグルーブトラックにトラックオンした状態で再生を行なうと、ランドトラックからのクロストーク量が多いので、ミラー領域に形成された記録マークを情報信号として検出することができる。
【００２８】
先ず、グルーブトラックに情報が記録される塗布型色素系光ディスクの場合について説明する。塗布型色素系光ディスクの場合、色素の膜厚はランド部よりグルーブ部が厚く、また、ミラー領域の色素の膜厚もランドトラック部より厚いため、信号振幅の差がより顕著になる。このため、ミラー領域が含まれたランドトラックにディスク固有の識別情報が不可逆的な記録マークで形成された場合、このミラー領域に形成された記録マークは、ランドトラックに形成された記録マークより振幅変化が大きく（ａ−ｃ）、且つ、ランドトラックに形成された記録マークの信号レベル（ｂ）よりレベルが低くなる。その結果、信号レベルが異なる３つの状態が混在することになるので、それぞれの信号レベルに対応したしきい値（スライスレベル）（（１）及び（２））を設定し、この３つの状態を検出することにより、予めプリピットでディスク固有の識別情報が形成され、大量に複製された光ディスクと容易に区別をすることができる。
【００２９】
すなわちプリピットによりディスク固有の識別情報を記録マークとして形成する場合、ランド部とグルーブ部との双方に記録マークを形成することは不可能である。ピットが連続して形成されているものがランドであることを考えればランド部とピットを区別することができないのは当然である。
【００３０】
一方、ディスク固有の識別情報が記録されていない光ディスクのグルーブトラックに正規のディスク固有の識別情報の不正コピーが記録された場合も、区別が可能である。第１に、ミラー領域が形成されていない光ディスクに不正コピーが記録された場合は、ディスク固有の識別情報が記録された領域におけるミラーレベルや記録マークの再生レベルを検出することにより区別できる。第２に、ディスク固有の識別情報が、本来記録されるべきランドトラックの両側に隣接するグルーブトラックに記録された場合は、光ディスクを回転させるスピンドルの回転ジッタのため、両側のグルーブトラックに形成された記録マークのランドとミラー領域との境界を基準とするトラック方向の位相を、それぞれ異なるアドレスを有する２つのグルーブトラックにおいて合致させることは困難となり、その結果正規のディスク固有の識別情報と区別することができる。
【００３１】
なお、ディスク固有の識別情報はバイフェイズ変調等によりエンコードをされることが好ましい。バイフェイズ変調により１ビット→２ビット変換を行なうことで、既存のディスク固有の識別情報を示すマーク上に不正にマークを形成した場合、バイフェイズ変調の置換則に反するため、容易に不正情報であることを検出することが可能になる。例えば、データ”０”をバイフェイズ変調した時に”１０”とし、データ”１”をバイフェイズ変調した時には”１０”とする変換ルールを用いれば、”０”又は”１”のデータの組み合わせにおいて”００”又は”１１”と先の変換データである”０１”及び”１０”以外のパターンは発生しない。仮に、”０００”や”１１１”のように、”０”又は”１”の状態が３以上続けて存在する場合は、バイフェイズ変調ルールに因らない状態として検出することができる。書かれたデータの上書きが行われた場合にはこのような状態を想定できるため、すなわちエラーとして検出できる。つまり上書きによりマークの長さが２以下とはならず、３以上になることを検出するということであり、本のデータを改竄することは不可能である。
【００３２】
以上説明したように、一般に使用する変調コード以外のパターンを検出したらエラー処理が実行されるため識別情報は生の形で記録せず、バイフェイズ変調等の適当な変調手段により変形させて記録すると改竄を発見しやすいと考えられる。尚、変調手段としてバイフェイズ変調を例に挙げて説明したが、変調手段はこのバイフェイズ変調方式に限定されない。
【００３３】
次に、ランドとグルーブとを備えた、情報の書き換えが可能な相変化型光ディスクの場合を説明する。図４は、本実施の形態が適用される光ディスクの実施形態２を説明する図である。図４には、相変化型光ディスクにおけるランド部及びミラー領域（媒体固有情報記録領域）の双方に渡って形成された記録マーク（記録パターン）と再生信号波形の関係とが示されている。図５は、本実施の形態が適用される光ディスクの実施形態２の類似例を説明する図である。図５には、相変化型光ディスクにおけるランド部及びミラー領域（媒体固有情報記録領域）のそれぞれに形成された記録マーク（記録パターン）と再生信号波形の関係が示されている。図４と図５とでは、再生信号のレベルが、ランド部とミラー領域との境界において異なっている。しかし，図４、図５それぞれに示すように、検出レベル（２）を設定することによって、再生信号を同じように検出することができる。塗布型色素系光ディスクの場合と同様に、トラック方向にランドの一部が切断されて形成されたミラー領域の反射率が高い（ａレベル）ので、ミラー領域に形成された記録マーク位置における信号レベル（ｃレベル）はランドトラックに形成された記録マーク位置における信号レベル（ｂレベル）より大きくなる。逆に、ランドトラックに形成された記録マーク位置では、ミラー領域に形成された記録マーク位置における信号レベル（ｃレベル）より低くなる。
【００３４】
このように、再生信号には、信号レベルが異なる３つの状態が混在するため、それぞれの信号レベルに対応したしきい値を設けて再生信号を検出することにより、予めプリピットでディスク固有の識別情報を形成して大量に複製された光ディスクと不正コピーが記録された光ディスクとの区別は容易である。さらに、ランド・グルーブ記録に対応したドライブを用いると、ランド及びグルーブの両方のデータが再生されるため、ランドトラックに記録されたディスク固有の識別情報は、ランドトラックから直接再生させることも可能である。
【００３５】
尚、ランドトラックの場合についてこれまで説明したが、追記型光ディスクに対しても同様に適用することができる。即ち、光ディスクのグルーブは情報を読み出す側から見た形状が凹形状又は凸形状であっても、情報を読み出す場合は、グルーブに形成された段差が光学的な位相差として検出されている。このため、塗布型色素系光ディスクの場合に塗布面から見て凹んでいるトラックの色素膜厚が厚くなり、凸側トラックの色素膜厚が薄くなり、各々に記録した信号変調度が一致しないことを除いて、相変化型光ディスク又は塗布型色素系光ディスク以外の追記型光ディスクの場合はグルーブトラックの一部に平坦部が形成されることにより、上記と同様に不正コピーが記録された光ディスクとの区別が可能になる。
【００３６】
ところで、光ディスクの情報管理領域にある管理情報は製造者によって記録され、ユーザによって書き換えることができなくされている。これにより、不正コピーの有無が監視されている。このような理由から、光ディスクに管理情報の書き換えの有無を検出できる手段を設けることが、不正コピーを防止するために有効である。一方、光ディスクに管理情報の総てを不可逆的に記録するためには、ライトワンス型光ディスクを用いることができる。ライトワンス型光ディスクとしては、例えば相変化型光ディスク、色素系光ディスクが挙げられる。
【００３７】
さらに、少なくともグルーブを備えた情報の書き換えが可能な相変化型光ディスクにおいては、ユーザデータの記録領域外に不可逆的に形成されたマークにより情報が記録される管理領域を設け、この管理領域にＳＹＮＣコード、エラー検出コード（ＥＤＣ）の少なくともいずれか一部を不可逆的に記録する。そして、書き換えられた情報によるＳＹＮＣコードの再生信号長の変化や、書き換えられた管理情報から演算されるエラー検出コード（ＥＤＣ）の変化から、書き換えの有無を検出することができる。すなわち、情報管理領域にある管理情報は製造者によって記録され、ユーザによって書き換えをできなくすることで、不正コピーを防止しようとしているので、光ディスクに書き換えの有無を検出できる手段を設けることは、不正コピーの防止に有効である。一方、管理情報の総てを光ディスクに不可逆的に記録するためには、通常の書き換え条件より高パワーを用いて記録する領域が増えるために、装置側の負担が大きくなる。しかし、管理情報を書き換えることができなくなるので有効である。
【００３８】
上述したように、光ディスクの記録層に塗布型色素材料を用いる場合と、書換可能な相変化型材料を用いる場合とで、ディスク固有の識別情報を再生するためのしきい値が異なる。また、記録トラックとしてグルーブトラックのみを用いる場合と、ランド及びグルーブの両方を用いる場合とでも、ディスク固有の識別情報を再生するためのしきい値が異なる。したがって、ディスク固有の識別情報を速やかに再生するためには、ディスクに、ディスクの種別を表す媒体種別情報をあらかじめ記録しておき、この媒体種別情報に基づいて決められたしきい値を用いて、ディスク固有の識別情報を再生することが好ましい。
【００３９】
ここで、媒体種別情報とは、ディスクタイプ（例えば、書換タイプ、ライトワンスタイプ、再生専用タイプ、あるいはこれらの組み合せ）、反射率、記録トラック位置（例えば、ランドのみ、グルーブのみ、ランド・グルーブ両方）、記録層材料のタイプ（例えば、色素、相変化、光磁気など）、再生パワー、記録極性（例えば、記録マークの反射率が記録前より高くなるか、低くなるか）などに関する情報である。また、このような情報を規定した規格書のバージョン等に関する情報も、媒体種別情報と考えることができる。光ディスクに媒体種別情を記録する方法としては、例えば、凹凸によるプリピットとして形成する方法、レーザ等により追記する方法などを用いることができる。また、媒体種別情報を、例えば、リードイン領域などに記録トラックに沿って記録し、これをフォーカスおよびトラッキングオンの状態で再生しても良い。さらに、媒体種別情報をバーコード状に記録し、フォーカスのみをオンにした状態で再生しても良い。
【００４０】
光ディスクの記録層が塗布型色素材料により形成される場合、レーザー光により良好に記録、再生される公知の色素材料を用いることができる。色素材料の例としては、例えば、シアニン色素、スクアリリウム色素、アズレニウム色素等のポリメチン系色素；フタロシアニン色素等の大環状アザアネレン色素；ジチオール色素、ポルフィセン化合物、アヌレン化合物等の光照射により変質する有機色素が挙げられる。有機色素材料は、それぞれ単独で又は２種以上の有機色素を混合してもよい。
【００４１】
特に記録再生に用いられるレーザー光の波長が４００ｎｍ近傍である場合、記録材料としてポルフィセン化合物、アヌレン化合物を用いることが望ましい。
ポルフィセン化合物は、下記の一般式（１）により表わされる。
【００４２】
【化１】
2004247033.tif 000003
【００４３】
ここで、一般式（１）中、Ｒ１〜Ｒ４は、それぞれ独立して、水素原子、ハロゲン原子、ヒドロキシル基；又はメチル基、エチル基、ｎ−プロピル基、イソプロピル基、ｎ−ブチル基、ｔｅｒｔ−ブチル基、ｓｅｃ−ブチル基、ｎ−ペンチル基、ｎ−ヘキシル基等の炭素数１〜２０の直鎖または分岐のアルキル基である。
【００４４】
また、一般式（１）において、Ｘ１〜Ｘ８は、それぞれ独立して、水素原子、ハロゲン原子、ヒドロキシル基、ホルミル基、カルボキシル基、シアノ基、ニトロ基、アミノ基、スルホン酸基；メチル基、エチル基、ｎ−プロピル基、イソプロピル基、ｎ−ブチル基、ｔｅｒｔ−ブチル基、ｓｅｃ−ブチル基、ｎ−ペンチル基、ｎ−ヘキシル基等の炭素数１〜２０の直鎖または分岐のアルキル基；ビニル基、プロペニル基、ブテニル基、ペンテニル基、ヘキセニル基等の１〜２０の直鎖または分岐のアルケニル基；メトキシ基、エトキシ基、ｎ−プロポキシ基、イソプロポキシ基、ｎ−ブトキシ基、ｔｅｒｔ−ブトキシ基、エトキシカルボニルプロポキシ基、ｓｅｃ−ブトキシ基、ｎ−ペンチルオキシ基、ｎ−ヘキシルオキシ基、ｎ−ヘプチルオキシ基等の置換されることがある炭素数１〜２０の直鎖または分岐のアルコキシ基；ヒドロキシメチル基、ヒドロキシエチル基等の炭素数１〜２０のヒドロキシアルキル基；ベンゼン環、ナフタレン環、アントラセン環、チオフェン環、フラン環、ピロール環、ピラゾール環、ピリジン環、ピラン環等の炭素数６〜１２の芳香環または複素環等である。
【００４５】
さらに、一般式（１）において、Ｘ１〜Ｘ８は、それぞれ独立して、カルボキシルメチル基等のカルボキシルアルキル基；メトキシカルボニル基、トリフルオロメトキシカルボニル基、エトキシカルボニル基、ｎ−プロポキシカルボニル基、イソプロポキシカルボニル基、ｎ−ブトキシカルボニル基、ｔｅｒｔ−ブトキシカルボニル基、ｓｅｃ−ブトキシカルボニル基、ｎ−ペンチルオキシカルボニル基、ｎ−ヘキシルオキシカルボニル基等の、置換されることがある炭素数２〜２１の直鎖または分岐のアルコキシカルボニル基；メチルカルボニルオキシ基、エチルカルボニルオキシ基、ｎ−プロピルカルボニルオキシ基、イソプロピルカルボニルオキシ基、ｎ−ブチルカルボニルオキシ基、ｓｅｃ−ブチルカルボニルオキシ基、ｔｅｒｔ−ブチルカルボニルオキシ基、ｎ−ペンチルカルボニルオキシ基等の、置換されることがある、炭素数２〜２１の直鎖または分岐のアルキルカルボニルオキシ基；メトキシカルボニルメチル基、メトキシカルボニルエチル基、エトキシカルボニルメチル基、エトキシカルボニルエチル基、ｎ−プロポキシカルボニルエチル基、ｎ−プロポキシカルボニルプロピル基、イソプロポキシカルボニルメチル基、イソプロポキシカルボニルエチル基等の炭素数３〜２２の直鎖または分岐のアルコキシカルボニルアルキル基が挙げられる。また、Ｘ１〜Ｘ８およびＲ１〜Ｒ４のうち、隣接する置換基同士が結合して環状構造を形成してもよい。
【００４６】
一般式（１）において、Ｍは、２個の水素原子；Ｎｉ，Ｃｏ，Ｃｕ，Ｚｎ，Ｐｄ，Ｐｔ，Ｆｅ，Ｍｎ，Ｓｎ，Ｍｇ，Ｒｈ等の２価の金属；ＴｉＯ，ＦｅＣｌ，ＶＯ，Ｓｎ（Ｙ）２等の３〜４価の金属誘導体及びＳｉ（Ｙ）２，Ｇｅ（Ｙ）２等の誘導体（Ｙはハロゲン原子、アルキル基、アリール基、ヒドロキシル基、アルコキシ基、アリールオキシ基、アルキルチオ基、アリールチオ基である）等の、ポルフィセン化合物に配位することができる誘導体である。これらの中でも、３００〜５００ｎｍに極大吸収をもち、モル吸光係数が大きい点で、特に、Ｎｉ，Ｚｎ，Ｃｏ，Ｃｕが好ましい。
【００４７】
アヌレン化合物は下記の一般式（２）により表される。
【００４８】
【化２】
2004247033.tif 000004
【００４９】
一般式（２）において、Ｘ１〜Ｘ３はそれぞれ独立して、酸素原子、イオウ原子、セレン原子、イミノ基である。一般式（２）において、Ｒ１〜Ｒ６は、それぞれ独立して水素原子；ハロゲン原子；ヒドロキシル基；カルボキシル基；メトキシカルボニル基、トリフルオロメトキシカルボニル基、エトキシカルボニル基、ｎ−プロポキシカルボニル基、イソプロポキシカルボニル基、ｎ−ブトキシカルボニル基、ｔｅｒｔ−ブトキシカルボニル基、ｓｅｃ−ブトキシカルボニル基、ｎ−ペンチルオキシカルボニル基、ｎ−ヘキシルオキシカルボニル基等、の置換されることがある炭素数２〜２１の直鎖または分岐のアルコキシカルボニル基；メチル基、エチル基、ｎ−プロピル基、イソプロピル基、ｎ−ブチル基、ｔｅｒｔ−ブチル基、ｓｅｃ−ブチル基、ｎ−ペンチル基、ｎ−ヘキシル基等の炭素数１〜２０の直鎖または分岐のアルキル基が挙げられる。
【００５０】
一般式（２）において、Ｒ７〜Ｒ１２は、それぞれ独立して水素原子、ハロゲン原子、ヒドロキシル基、ホルミル基、カルボキシル基、シアノ基、ニトロ基、アミノ基、スルホン酸基；メチル基、エチル基、ｎ−プロピル基、イソプロピル基、ｎ−ブチル基、ｔｅｒｔ−ブチル基、ｓｅｃ−ブチル基、ｎ−ペンチル基、ｎ−ヘキシル基等の炭素数１〜２０の直鎖または分岐のアルキル基；ビニル基、プロペニル基、ブテニル基、ペンテニル基、ヘキセニル基等の１〜２０の直鎖または分岐のアルケニル基；メトキシ基、エトキシ基、ｎ−プロポキシ基、イソプロポキシ基、ｎ−ブトキシ基、ｔｅｒｔ−ブトキシ基、エトキシカルボニルプロポキシ基、ｓｅｃ−ブトキシ基、ｎ−ペンチルオキシ基、ｎ−ヘキシルオキシ基、ｎ−ヘプチルオキシ基等の置換されることがある炭素数１〜２０の直鎖または分岐のアルコキシ基等である。
【００５１】
さらに、一般式（２）において、Ｒ７〜Ｒ１２は、それぞれ独立して、ヒドロキシメチル基、ヒドロキシエチル基等の炭素数１〜２０のヒドロキシアルキル基；ベンゼン環、ナフタレン環、アントラセン環、チオフェン環、フラン環、ピロール環、ピラゾール環、ピリジン環、ピラン環等の炭素数６〜１２の芳香環または複素環；カルボキシルメチル基等のカルボキシルアルキル基；メトキシカルボニル基、トリフルオロメトキシカルボニル基、エトキシカルボニル基、ｎ−プロポキシカルボニル基、イソプロポキシカルボニル基、ｎ−ブトキシカルボニル基、ｔｅｒｔ−ブトキシカルボニル基、ｓｅｃ−ブトキシカルボニル基、ｎ−ペンチルオキシカルボニル基、ｎ−ヘキシルオキシカルボニル基等の置換されることがある炭素数２〜２１の直鎖または分岐のアルコキシカルボニル基；メチルカルボニルオキシ基、エチルカルボニルオキシ基、ｎ−プロピルカルボニルオキシ基、イソプロピルカルボニルオキシ基、ｎ−ブチルカルボニルオキシ基、ｓｅｃ−ブチルカルボニルオキシ基、ｔｅｒｔ−ブチルカルボニルオキシ基、ｎ−ペンチルカルボニルオキシ基等、の置換されることがある炭素数２〜２１の直鎖または分岐のアルキルカルボニルオキシ基；メトキシカルボニルメチル器、メトキシカルボニルエチル基、エトキシカルボニルメチル基、エトキシカルボニルエチル基、ｎ−プロポキシカルボニルエチル基、ｎ−プロポキシカルボニルプロピル基、イソプロポキシカルボニルメチル基、イソプロポキシカルボニルエチル基等の炭素数３〜２２の直鎖または分岐のアルコキシカルボニルアルキル基が挙げられる。
また、Ｒ１〜Ｒ１２のうち隣接する置換基同士が結合して環状構造を形成してもよい。
【００５２】
記録層は、前述したこれらの有機色素を、透明樹脂基板上に直接又は他の層を介して、適宜、キャスト法、スピンコート法、浸漬法等の塗布方法により、成膜することができる。塗布方法において使用する溶媒としては、基板を侵さない溶媒であれば特に限定されない。例えば、ジアセトンアルコール、３−ヒドロキシ−２−ブタノン等のケトンアルコール溶媒；メチルセロソルブ、エチルセロソルブ等のセロソルブ溶媒；ｎ−ヘキサン、ｎ−ヘプタン等の炭化水素溶媒；テトラフルオロプロパノール、オクタフルオロペンタノール、ヘキサフルオロブタノール等のパーフルオロアルキルアルコール溶媒；シクロヘキサン、メチルシクロヘキサン、エチルシクロヘキサン、ジメチルシクロヘキサン、ｎ−ブチルシクロヘキサン、ｔ−ブチルシクロヘキサン、シクロオクタン等の炭化水素溶媒；ジイソプロピルエーテル、ジブチルエーテル等のエーテル溶媒；乳酸メチル、乳酸エチル、イソ酪酸メチル等のヒドロキシルエステル溶媒などが挙げられる。
【００５３】
記録層の膜厚は、記録に用いるレーザー光などの記録光のパワーに対する記録感度性能係数を考慮して、波長、光反射層の光学定数、光吸収層の材質に応じて適宜選択される。また、上述したように、ランドトラックに不可逆的な記録マークによりディスク固有の識別情報を形成するためには、ランド部においても記録が可能であることが必要である。しかしながら、スピンコート法により形成された塗布型色素系光ディスクの記録層の膜厚は、塗布面からみて凹んでいるグルーブ部が厚くなり、ランド部が薄くなる。したがって、ランド部の記録層の膜厚は、レーザー光の波長λに対し、λ／６ｎｍ以上が必要である。また、ランド部の記録層の膜厚が上記の条件に合致するように、色素および色素を溶解する溶媒を選択し、または基板上に形成されたグルーブのＵ字溝の形状を最適化する必要がある。これに加え、光ディスクの全域において、記録再生特性がランド部以上に優れていることが必要とされることから、色素の光学定数ｎは１．８以上であり、従って、グルーブ部のＵ字溝の凹みの深さは２０ｎｍから１５０ｎｍ、望ましくは５０ｎｍから１２０ｎｍが必要である。
【００５４】
また、反射層は、Ａｕ、Ａｇ、Ｃｕ、Ａｌなどの金属またはそれらを主成分とした合金から構成することができる。中でも、反射率や耐久性の点からＡｇまたはＡｇを主成分とする合金が好ましい。反射層の成膜方法としては、真空蒸着、スパッタリングおよびイオンプレーティングなどが挙げられる。反射層の膜厚は、反射率および熱拡散効率等を考慮し、０．０２μｍ〜０．５μｍとすることが好ましい。
【００５５】
反射層上に形成される保護層は、アクリル系紫外線硬化性樹脂等の硬質性の材料を用いることが好ましい。このような材料を用いることにより、光ディスクを高温高湿下で長期間保存した場合、保護層の経時的な変形を防止できる。保護層は通常、反射層上に、直接または他の層を介して、紫外線硬化性樹脂をスピンコート法により厚み１μｍ〜２０μｍで塗布した後、紫外線照射により硬化させて形成される。
【実施例】
【００５６】
以下に、実施例に基づき、本実施の形態をより具体的に説明する。尚、本実施の形態は、実施例に限定されるのではない。
（実施例１）
図２は、本実施の形態における塗布型色素系光ディスクの構造を説明する図である。図２には、ライトワンス型光ディスクである塗布型色素系光ディスクの断面構造の概略図が示されている。図２に示されたライトワンス型光ディスクは、直径１２０ｍｍ、厚さ０．６ｍｍのポリカーボネート樹脂製である塗布型色素記録膜用の基板１１１の表面に、アドレス情報（ＩＤ）などを含む凹凸ピットと、０．４５μｍピッチのＵ字型溝とがあらかじめ形成されている。Ｕ字型溝の溝幅は約０．２０μｍ、深さは１００ｎｍである。この基板１１１上に形成された塗布型色素記録膜である記録層１１４は、色素材料として下記の一般式（３）で示されるポルフィセン化合物系の色素が用いられている。この色素０．５ｇをテトラフロロプロパノール４０ｇに溶解し、この溶液を４０℃で３０分間超音波分散した後、０．２μｍのフィルターでろ過した。
【００５７】
【化３】
2004247033.tif 000005
【００５８】
このようにして調製された色素溶液を基板１１１上に、回転数５００ｒｐｍ〜２０００ｒｐｍに加速しながらスピンコートし、記録層１１４を形成した。次に、記録層１１４がコートされた基板１１１を８０℃のオーブンで３０分乾燥した後、記録層１１４の上にスパッタリング法により膜厚１００ｎｍのＡｇ合金膜を成膜し、銀合金反射膜の反射層１１７を形成した。さらに、この反射層１１７の上に、保護層として紫外線硬化樹脂１１９を５μｍの厚さでスピンコートし、これに紫外線を照射して硬化させて、記録層付基板を調製した。さらに、接着剤層として遅効性紫外線硬化型接着剤１２０を塗布し、さらに、ダミー基板１１２を接着し、光ディスクを調整した。尚、反射層１１７上の紫外線硬化樹脂１１９を形成せず、紫外線硬化型接着剤を用いて、直接、ダミー基板１１２と接着してもよい。
【００５９】
図２に示された塗布型色素系光ディスクの、ディスク固有の識別情報が記録された所定領域の一部とそのトラック方向断面の模式図、さらに、グルーブトラックにトラックオンした状態で再生した信号波形の概略図は、図１に示されたものと同様である。
【００６０】
図７は、本実施の形態における光ディスクのレイアウトを説明する図である。図７には、記録可能な光ディスク（記録可能媒体）の記録前のトラックレイアウトが示されている。図に示された光ディスク２００における管理情報領域であるリードイン領域２１０は、記録可能な光ディスクに関する情報が記録される領域である。図７では、リードイン領域２１０は内周部に設けられている。尚、リードイン領域２１０は、外周部に設けられても差し支えない。リードイン領域２１０に記録される情報は、光ディスク２００にアクセスする際に、情報記録領域２１１へ情報を記録・再生するために必要な情報であり、通常、その配置上の制限はない。
【００６１】
本実施の形態の光ディスクは、情報を記録するためのグルーブが螺旋状又は同心円状に、内周から外周までの範囲内に形成されている。また、例えば、ディスク内周側の所定範囲の、ランド（Ｌ）の一部に形成されたミラー領域を含むランドトラック上には、専用のサーボライターを用い、ディスク固有の識別情報が記録されている。図１に示すように、ディスク固有の識別情報は、黒色マークで示された不可逆的な記録マークと、白色部分で示された未記録領域とが交互に配置されるように記録されている。なお、図１には示していないが、他の領域のグルーブにはユーザ情報（コンテンツデータ）等が記録される。
【００６２】
ランドトラック上にある記録マーク位置における信号振幅は、ミラー領域にある記録マーク位置における信号振幅より小さいため、ランドトラック後端部分からミラー領域先頭までの境界付近を未記録とすることで、ランドレベルより大きい信号レベルの領域が形成される。ここで、この部分を同期信号としてディスク固有の識別情報が記録された位置を示すマークに用いることも可能である。
【００６３】
ミラー領域の信号レベルはランドトラックより高くなる。また、ミラー領域に形成された記録マーク位置では通常のグルーブトラック部よりグルーブ幅が広くなるため、記録マーク幅を広くすることができ、グルーブトラックにトラックオンして再生しても精度良く信号を検出するのに十分な信号振幅を得ることができる。ここで、トラック方向の記録密度をユーザデータ領域より低く設定することで、更に検出精度を向上することができる。
【００６４】
図１に示すようにトラック上の色素膜に形成されるピットをグルーブ及びランド上の双方に設けることにより、光ディスクにディスク固有の識別情報が記録されると、このピットを再生するときは区別可能な３種類の再生信号を得ることができる。図１中、グルーブ又はランド上に記録されたピットマークから得られる再生信号は（ｂ）であり、トラック幅より幅が広いミラー領域に記録されたピットマークからの再生信号が（ｃ）であり、ミラー領域のピットマークではない部分からの再生信号が（ａ）である。図１に示すように、再生信号の大きさは（ａ）＞（ｂ）＞（ｃ）の順になる。
【００６５】
色素系光ディスクに情報を記録する場合、通常、溝上すなわちグルーブの中に記録ピットマークを形成するのが一般的である。本実施の形態では、ディスク固有の識別情報を光ディスクに設けられた特定の領域に記録し、通常領域に記録される信号とは識別するようにした。つまりミラー領域では高い反射率が得られるため、グルーブやランドにおける記録ピットマークに比べ大きな再生信号がえられることを利用している。さらにグルーブまたはランド部における記録と組み合わせることで、複数の再生信号レベルを有するディスク固有の識別情報を記録することが可能になる。
【００６６】
光ディスク中に配置されるミラー領域が特定したディスク上の特別な位置として設けられる手段と、光ディスク中の他の位置においては記録そのものが無効にされる手段とを組み合わせることにより、ミラー領域を有しない光ディスク及び特定の位置にディスク固有の識別情報が記録されていない光ディスクとの区別を明確にすることができる。ミラー領域の位置を指定するアドレスはマスタリングの際に記録されるアドレス情報に従っており、追記されるアドレス情報とはリンクしない。ミラー領域のアドレスはシステム上で認識できるように、ディスク固有の識別情報と組み合わせて記録させることができる。ディスク固有の識別情報はマスタリングによる物理アドレスとリンクされているので、この固有の識別情報を改竄するために、特定の配置位置からずれて記録された固有の識別情報を無効とすることができる。
【００６７】
次に再生信号からのディスク固有の識別情報の管理方法について説明する。再生信号は図１に示すように、ディスク固有の識別情報の記録位置がグルーブまたはランド部とミラー領域に渡るように記録されることで有効な３種類の信号が得られることを説明した。ここでは、この３種類の信号からディスク固有の識別情報を検出する方法について説明する。
【００６８】
図８は、本実施の形態における信号検出回路を説明する図である。図８に示すように、光ディスク駆動装置の光ヘッドは、トラッキング用にトラックの垂直方向に対し２分割した光検出器（２−Ｄｉｖ．Ｄｅｔｅｃｔｏｒ）が使用されている。２分割した光検出器を使用することにより、グルーブ又はランドから一次回折光を利用して得られるプッシュプル信号を検出することができ、記録トラックをトラッキングすることができる。２分割光検出器は分割された検出器の差分信号を得ることでトラッキングサーボのためのセンサーとして動作する。また、分割された検出器の和信号を得ることでピットマークの検出をすることができる。先に説明したように得られた再生信号は３種類の信号を有しており、これを弁別するために（ａ）レベルと（ｂ）レベルとの間に設定した基準電圧と、（ｂ）レベルと（ｃ）レベルとの間に設定した基準電圧を設ける。検出された再生信号は、コンパレータにより２値化される。ここで（ａ）−（ｂ）基準電圧はグルーブ又はランド部のピットマークが検出されるように図１に示す電圧範囲で設定されることが必要である。
【００６９】
図８において、コンパレータの出力信号はアンドゲート回路に入力される。これはグルーブ又はランド部におけるピットマークとミラー領域のピットマークとを識別し、ディスク固有の識別情報を取り出すための選別処理である。図１のレベル（１）で検出された信号はディスク固有の識別情報の記録の前後に配置された同期信号として働く。図８では単純な動作例としてレベル（１）により、ディスク固有の識別情報としてのゲート信号が生成され、取り出されている様子を示している。このゲート処理された信号はディスク固有の識別情報あるいはコントロールデータとして取り出すことができる。
【００７０】
ディスク固有の識別情報の記録位置との関係を明確にするためには、グルーブ又はランド部における再生の場合は、ディスク固有の識別情報は、トラッキングの状態に置かれた２分割光検出器の進行方向の左または右に配置されたピットマークを考慮して、再生されることを想定する必要がある。２分割光検出器の差分信号から極性を弁別し、その極性と再生されたアドレス情報との関係を判断することにより、真偽判別を行なうことができる。
この判別は先に説明したゲート処理により得られたディスク固有の識別情報を検出する方法において必須の処理ではなく、付加的な処置であることを述べておく必要がある。
【００７１】
図９は、本実施の形態における光ディスク駆動装置を説明する図である。図９に示された光ディスク駆動装置９０は、光ディスク９１と、光ヘッド９２と、レーザ駆動回路９３と、サーボ制御回路９４と、記録再生信号処理回路９５と、コントローラ（情報管理）９６と、回転制御回路９７と、スピンドルモータ９８とを備えている。光ヘッド９２からの再生信号とサーボ制御回路９４からの検出信号が記録再生信号処理回路９５に入力している。
光ディスク駆動装置９０は真偽判別した結果に基づき、光ディスク９１が不正コピーと判断した場合、画面上に警告表示をする、光ディスク９１へのアクセスを停止する、或いは光ディスク９１を排出する等の動作を実行する。
【００７２】
（実施例２）
図３は、本実施の形態における相変化型光ディスクを説明する図である。図３には、相変化型光ディスクの断面構造の概略が示されている。直径１２０ｍｍ、厚さ０．６ｍｍのポリカーボネート樹脂板の表面に、アドレス情報などを含む凹凸ピットと、０．６８μｍピッチのＵ字型溝とをあらかじめ形成した基板１１を用意した。Ｕ字型溝の溝幅と溝間（ランド）幅はほぼ等しく約０．３４μｍとした。ミラー領域の配置パターンは図６のパターンＡを用いた。なお、パターンＢを用いても良い。
尚、図６は、ディスク固有の識別情報領域のフォーマットパターンの例を説明する図である。図６には、ディスク固有の識別情報領域（媒体固有情報領域）のフォーマットパターン例が示されている。パターンＡにおいては、ＩＤ（ｎ）のグルーブトラックで再生されたデータからディスク固有の識別情報が生成される。パターンＢにおいては、ＩＤ（ｎ−１）及びＩＤ（ｎ＋１）のグルーブトラックで再生されたデータからディスク固有の識別情報が生成される。また、ＩＤ（ｎ）及びＩＤ（ｎ＋２）のグルーブトラックで再生されたデータからディスク固有の識別情報が生成される。さらに、図１０または図１１に示されたミラー領域の配置パターン（媒体固有情報領域のフォーマットパターン例）を用いることもできる。
【００７３】
この基板１１を、複数のスパッタ室を持ち、膜厚の均一性および再現性に優れたスパッタ装置内の第１スパッタ室に配置した。ターゲットとしてＺｎＳとＳｉＯ２の混合物を用い、アルゴンガス中で厚さ５５ｎｍの（ＺｎＳ）８０（ＳｉＯ２）２０（モル％）第１誘電体層１２を形成した。次いで、この基板を第２のスパッタ室に移動した後、ターゲットとしてＧｅ８０Ｃｒ２０を用い、窒素含有量５０モル％のアルゴン窒素混合ガス中で厚さ２ｎｍのＧｅＣｒＮ第２誘電体層１３を形成した。
【００７４】
さらに、この基板を第３スパッタ室に移動した後、ターゲットをＧｅ３３Ｓｂ１３Ｔｅ５４（原子％）焼結体として、アルゴンガス中で記録層１４を１０ｎｍ形成した。次いで、第４スパッタ室に基板を移動し、Ｇｅ８０Ｃｒ２０ターゲットを用いて窒素含有量５０モル％のアルゴン窒素混合ガス中でＧｅＣｒＮ界面層１５を２ｎｍ形成した。
【００７５】
続いて、第５スパッタ室に基板を移動し、ターゲットとしてＺｎＳとＳｉＯ２の混合物を用い、厚さ３８ｎｍの（ＺｎＳ）６０（ＳｉＯ２）４０（モル％）中間層１６を形成した。次いで、第６スパッタ室内でＡｌ９９Ｔｉ１（原子％）合金をターッゲットとして用い、Ａｌ９９Ｔｉ１第１反射層１７を５０ｎｍ形成した。最後に、第７スパッタ室室内でＡｇ９７Ｒｕ２Ａｕ１（原子％）をターッゲットとして用い、Ａｇ９７Ｒｕ２Ａｕ１第２反射層１８を５０ｎｍ形成した。積層された基板をスパッタ装置から取り出し、最上層の上に紫外線硬化樹脂保護層１９をスピンコートによって形成した。
【００７６】
同様にして、もう一枚の同様な基板１１’上に（ＺｎＳ）８０（ＳｉＯ２）２０（モル％）第１誘電体層１２’、ＧｅＣｒＮ第２誘電体層１３’、記録層１４’、ＧｅＣｒＮ界面層１５’、（ＺｎＳ）６０（ＳｉＯ２）４０（モル％）中間層１６’、Ａｌ９９Ｔｉ１（原子％）第１反射層１７’、Ａｇ９７Ｒｕ２Ａｕ１第２反射層１８’、紫外線硬化樹脂保護層１９’を形成した。この２枚の基板を、紫外線硬化樹脂保護層１９、１９’を内側にして接着剤層２０によって貼り合わせを行い、相変化型光ディスク２１を作成した。
【００７７】
次に、この相変化型光ディスク２１を初期化装置を用いて初期化を行なった後、記録レーザー波長（λ）４０５ｎｍ、対物レンズ（ＮＡ）０．６５のピックアップを有する記録再生装置を用い、図４に示すようなランドの一部が切断されたランドトラック上の特定トラック位置の半径２１．５ｍｍ〜２１．７ｍｍの領域に、記録線速度３ｍ／ｓ、記録パワー１０ｍＷに設定された不可逆記録条件でディスク固有の識別情報を記録し、不可逆的な記録マークとして形成した。ユーザデータを記録するときの条件は、記録再生線速度５．７ｍ／ｓ、記録パワーは５ｍＷである。また、記録パワー５ｍＷ、バイアスパワー２ｍＷとし、記録パワーとバイアスパワーとの間で変調させたレーザ光を照射することによって情報の書換（オーバライト）が可能である。
【００７８】
この相変化型光ディスクをグルーブトラックにトラックオンした状態で再生すると、ミラー領域を含むランドトラックに隣接した位置で、図４に示すような再生信号波形が得られた。ここで、ディスク固有の識別情報に必要なデータ量は数バイトから数十バイトであり、このために必要なミラー領域のトラック方向の長さは数マイクロメーターから数十マイクロメーター程度の範囲なので、トラック方向にランドが切断されていてもトラッキングが外れることはない。
【００７９】
不可逆的な記録マークを形成するための条件をより詳細に調べるために、実施例１で使用した光ディスクを用いて、線速度および記録パワーを変えて、不可逆マークを形成した。その結果、不可逆マークの記録線速度が、通常の記録線速度である５．７ｍ／ｓの０．２５倍より小さい場合、不可逆マークの記録は可能だが、その振幅は通常記録マークよりも小さくなった。その理由は、記録膜として線速度５．７ｍ／ｓでも結晶化が可能な材料を用いているため、記録線速度が遅くなりすぎると記録膜の再結晶化領域が大きくなってしまうためである。従って、不可逆マークの記録線速度は、通常の記録線速度の０．２５倍以上が好ましい。不可逆マークの記録線速度が通常の記録線速度と同じでも、不可逆マークの形成は可能である。ただし、この場合、記録パワーを通常記録の２倍より小さい値に設定すると、記録されたマークは可逆マークとなった。
【００８０】
不可逆マークを形成するための記録線速度Ｖａと記録パワーＰａ（ｍＷ）の関係をさらに詳細に調べたところ、Ｖａを通常の記録線速度Ｖの０．２５倍以上１倍以下とし、且つ、記録パワーＰａ（ｍＷ）を、
Ｐａ＞２×Ｐ×（Ｖａ／Ｖ）１／２
としたときに不可逆マーク形成が正常に行われ、かつ不可逆マークの信号振幅が、通常記録マークの信号振幅の１．３倍以上となった。これ以外の範囲ではマークが可逆マークになったり、不可逆マークが形成されてもその振幅が小さくなった。さらに、
Ｐａ＞２．５×Ｐ×（Ｖａ／Ｖ）１／２
としたときには、不可逆マークの信号振幅が、通常記録マークの信号振幅の１．４倍以上となった。
【００８１】
尚、本実施例においてはランドとグルーブの両方を記録トラックとする場合について述べたが、記録トラックとしてランドもしくはグルーブのどちらか一方を用いる場合についても同様の結果が得られた。この場合、不可逆マークは記録トラック上のみに形成してもよいが、記録トラック上と記録トラック間の両方に形成しても良い。
【００８２】
（実施例３）
実施例２では、ランドとグルーブとに記録トラックを設けたランド・グルーブ記録において、情報管理領域にディスク固有の識別情報を不可逆記録条件で不可逆的に記録した場合について述べたが、次に、グルーブのみに記録トラックを設けた場合の相変化光ディスクの実施例について述べる。
【００８３】
一定周期で蛇行し、アドレス情報が重畳して記録されたグルーブが形成された厚さ１．１ｍｍの基板上に実施例２と同じ相変化記録膜を逆の順番で積層し、さらに、厚さ０．１ｍｍのカバー層を形成し光ディスクを作製した。この光ディスクの記録膜は、実施例２と同様に、初期化装置により初期化を行なった。初期化された光ディスクを、記録レーザー波長（λ）４０５ｎｍ、対物レンズ（ＮＡ）０．８５のピックアップを有する記録再生装置を用い、記録線速度２．５ｍ／ｓ、バイアスパワー（Ｐｂ）０．５ｍＷ、メインデータは通常記録パワー（Ｐｗ１）２．０ｍＷで、アドレス情報、ＳＹＮＣコードおよびエラー検出コード（ＥＤＣ）は不可逆記録パワー（Ｐｗ２）１０ｍＷ、基準クロック（Ｔ）３３ＭＨｚで、管理情報領域に記録を行い、アドレス情報（ＩＤ）、ＳＹＮＣコード、エラー検出コード（ＥＤＣ）を不可逆記録マークで形成した。この光ディスクを線速度６ｍ／ｓ、再生パワー（Ｐｒ）０．５ｍＷで再生した信号変調度は、通常記録部で６０％、不可逆記録部で７５％であった。
【００８４】
次に、線速度５．０ｍ／ｓ、バイアスパワー（Ｐｂ）２．０ｍＷ、通常記録パワー（Ｐｗ０）５．０ｍＷで、上記管理情報領域の情報の書き換えを行なった後、再生パワー（Ｐｒ）０．５ｍＷで再生した。ＳＹＮＣコードは前の情報によってパターンが異なるため、ＳＹＮＣコードが記録された部分が消去できない。このため、スペースに書き換えられるべきＳＹＮＣフレームの部分ではＳＹＮＣコードに連続して記録マークが形成されるため、この部分ではＳＹＮＣコードの再生信号長が変調パターンとは異なり、長くなる。このように再生信号長が変化したことを検出することで、管理情報が書き換えられ（改竄され）たことを検出することができる。特に、別の記録装置を用いた場合、スピンドルのサーボ系制御の安定性が装置によって異なり、ＳＹＮＣコードの記録開始タイミングがずれるため、再生信号長の変化がより大きくなる。
【００８５】
また、エラー検出コード（ＥＤＣ）データはメインデータからの演算結果から決められるので、書き換えによってエラー検出コード（ＥＤＣ）データも異なってくることからも管理情報が書き換えられ（改竄され）たことを検出することができる。
【００８６】
アドレス情報（ＩＤ）、ＳＹＮＣコード、エラー検出コード（ＥＤＣ）全てを不可逆的記録で行なったが、単独あるいはいずれかを組み合わせて不可逆的記録を行なっても良い。このように管理情報領域のディスク固有の識別情報のみを不可逆的な記録マークで形成することにより、全ての管理情報を不可逆的なマークで形成する場合に比べ、記録レーザーへの負担が軽減される。
【００８７】
このように、本実施の形態が適用される光ディスクの再生方法によれば、ディスク固有の識別情報を、複数の平坦部（ミラー領域）が形成されたグルーブ又はランド上に不可逆的なマークで記録し、一方、このディスク固有の識別情報を、グルーブ又はランドに隣接するグルーブ又はランドにトラックオンした状態で読み出すことにより、通常の記録トラックに記録された場合の検出レベルでは検知できないレベルを含む３種類以上の信号レベルが得られる。その結果、不正にコピーができない光ディスク及びその再生方法が提供される。
【００８８】
また、アドレス情報（ＩＤ）、ＳＹＮＣコード、エラー検出コード（ＥＤＣ）のように、特定位置に固有情報として記録される情報を不可逆的マークで形成することで、情報の書き換え（改竄）が行なわれた場合に、容易に検出することができる。また、管理情報領域に適用することで、管理情報の改竄防止に有効である。
【図面の簡単な説明】
【００８９】
【図１】光ディスクの実施形態１を説明する図である。
【図２】塗布型色素系光ディスクの構造を説明する図である。
【図３】相変化型光ディスクの構造を説明する図である。
【図４】光ディスクの実施形態２を説明する図である。
【図５】光ディスクの実施形態２の類似例を説明する図である。
【図６】ディスク固有の識別情報領域のフォーマット例を説明する図である。
【図７】光ディスクのレイアウトを説明する図である。
【図８】信号検出回路を説明する図である。
【図９】光ディスク駆動装置を説明する図である。
【図１０】ディスク固有の識別情報領域の他のフォーマット例を説明する図である。
【図１１】ディスク固有の識別情報領域の他のフォーマット例を説明する図である。
【符号の説明】
【００９０】
１１，１１’…基板、１２，１２’…第１誘電体層、１３，１３’…第２誘電体層、１４，１４’…記録層、１５，１５’…界面層、１６，１６’…中間層、１７，１７’…第１反射層、１８，１８’…第２反射層、１９，１９’…紫外線硬化樹脂保護層、２０…接着剤層，２１…相変化型光ディスク、９０…光ディスク駆動装置、９１…光ディスク、９２…光ヘッド、９３…レーザ駆動回路、９４…サーボ制御回路、９５…記録再生信号処理回路、９６…コントローラ（情報管理）、９７…回転制御回路、９８…スピンドルモータ、１１１…基板、１１２…ダミー基板、１１４…記録層、１１７…反射層、１１９…紫外線硬化樹脂、１２０…遅効性紫外線硬化型接着剤、２００…光ディスク、２１０…リードイン領域、２１１…情報記録領域
【図１】
2004247033.tif 000006
【図２】
2004247033.tif 000007
【図３】
2004247033.tif 000008
【図４】
2004247033.tif 000009
【図５】
2004247033.tif 000010
【図６】
2004247033.tif 000011
【図７】
2004247033.tif 000012
【図８】
2004247033.tif 000013
【図９】
2004247033.tif 000014
【図１０】
2004247033.tif 000015
【図１１】
2004247033.tif 000016